(57)【要約】【課題】通常放送による現在の放送と、緊急放送とを同時に違和感なく放送することができ、現在聴いている番組の中断もなく、スムーズな放送が可能となる緊急放送システムを提供する。【解決手段】Ｌチャンネル用音源１０ＬからのＬチャンネル音声信号ＳＬ、Ｒチャンネル用音源１０ＲからのＲチャンネル音声信号ＳＲ、および、緊急放送用音源１０Ｅからの緊急音声信号ＳＥの三者の信号のウエイトを調節するウエイト調節手段１１０と、ウエイト調節手段１１０によってウエイトが調節された当該Ｌチャンネル音声信号ＳＬａおよびＲチャンネル音声信号ＳＲａへの当該緊急音声信号ＳＥａの混合の有無を緊急音声混合切換手段１３０とを備え、切換える制御をシステムコントローラ１２０で行なう。【選択図】図１
2007235510.tif 000002
【特許請求の範囲】
【請求項１】
Ｌチャンネル用音源からのＬチャンネル音声信号のレベルを調節するＬチャンネル増幅器と、Ｒチャンネル用音源からのＲチャンネル音声信号のレベルを調節するＲチャンネル増幅器と、緊急放送用音源からの緊急音声信号のレベルを調節する緊急放送チャンネル増幅器と、前記Ｌチャンネル用増幅器の出力側に設けられＬチャンネル音声信号に前記緊急放送チャンネル増幅器の出力を混合するためのＬチャンネル混合器と、前記Ｒチャンネル用増幅器の出力側に設けられＲチャンネル音声信号に前記緊急放送チャンネル増幅器の出力を混合するためのＲチャンネル混合器と、前記Ｌチャンネル混合器およびＲチャンネル混合器のいずれか一方または双方に選択的に前記緊急放送チャンネル増幅器の出力を供給する緊急音声混合切換手段と、前記緊急音声混合切換手段の作動を制御する制御手段と、を備えていることを特徴とする緊急放送システム。
【請求項２】
前記Ｌチャンネル増幅器、Ｒチャンネル増幅器、および、緊急放送チャンネル増幅器は、供給された音声信号レベル調節信号に応じて増幅率が調節される可変増幅器であり、且つ、前記制御手段は当該各音声信号レベル調節信号を供給するように構成されていることを特徴とする請求項１に記載の緊急放送システム。
【請求項３】
緊急音声混合切換手段は、前記緊急放送チャンネル増幅器の出力の前記Ｌチャンネル混合器への供給の有無を切換えるためのＬチャンネル混合切換手段と前記緊急放送チャンネル増幅器の出力の前記Ｒチャンネル混合器への供給の有無を切換えるためのＲチャンネル混合切換手段とを含んで構成され、且つ、前記制御手段は、前記Ｌチャンネル混合切換手段およびＲチャンネル混合切換手段の作動を制御するように構成されていることを特徴とする請求項１に記載の緊急放送システム。
【請求項４】
前記Ｌチャンネル用音源からＬチャンネル増幅器に供給されるＬチャンネル音声信号を前記Ｒチャンネル用音源からＲチャンネル増幅器に供給されるＲチャンネル音声信号に混合するために前記Ｒチャンネル増幅器の前段に介挿された両チャンネル音声混合器と、前記両チャンネル音声混合器に対する当該Ｌチャンネル音声信号の供給の有無を切換えるための両チャンネル音声混合切換手段とを更に備え、且つ、前記制御手段は前記両チャンネル音声混合切換手段の作動を制御するように構成されていることを特徴とする請求項１に記載の緊急放送システム。
【請求項５】
前記Ｒチャンネル用音源からＲチャンネル増幅器に供給されるＲチャンネル音声信号を前記Ｌチャンネル用音源からＬチャンネル増幅器に供給されるＬチャンネル音声信号に混合するために前記Ｌチャンネル増幅器の前段に介挿された両チャンネル音声混合器と、前記両チャンネル音声混合器に対する当該Ｒチャンネル音声信号の供給の有無を切換えるための両チャンネル音声混合切換手段とを更に備え、且つ、前記制御手段は前記両チャンネル音声混合切換手段の作動を制御するように構成されていることを特徴とする請求項１に記載の緊急放送システム。
【請求項６】
Ｌチャンネル用音源からのＬチャンネル音声信号、Ｒチャンネル用音源からのＲチャンネル音声信号、および、緊急放送用音源からの緊急音声信号の三者の信号のウエイトを調節するウエイト調節手段と、前記ウエイト調節手段によってウエイトが調節された当該Ｌチャンネル音声信号およびＲチャンネル音声信号への当該緊急音声信号の混合の有無を切換える緊急音声混合切換手段と、前記緊急音声混合切換手段の作動を制御する制御手段と、を備えていることを特徴とする緊急放送システム。
【請求項７】
前記ウエイト調節手段によってウエイトが調節された当該Ｌチャンネル音声信号のＲチャンネル音声信号への混合の有無を切換える両チャンネル音声混合切換手段を更に備え、
且つ、前記制御手段は前記両チャンネル音声混合切換手段の作動を制御するように構成されていることを特徴とする請求項６に記載の緊急放送システム。
【請求項８】
前記ウエイト調節手段によってウエイトが調節された当該Ｒチャンネル音声信号のＬチャンネル音声信号への混合の有無を切換える両チャンネル音声混合切換手段を更に備え、且つ、前記制御手段は前記両チャンネル音声混合切換手段の作動を制御するように構成されていることを特徴とする請求項６に記載の緊急放送システム。
【請求項９】
Ｌチャンネル用音源からのＬチャンネル音声信号、Ｒチャンネル用音源からのＲチャンネル音声信号、および、緊急放送用音源からの緊急音声信号の三者の信号のウエイトを調節し、該ウエイトが調節された当該Ｌチャンネル音声信号およびＲチャンネル音声信号への当該緊急音声信号の混合の有無を切換えることを特徴とする緊急放送方法。
【発明の詳細な説明】
【技術分野】
【０００１】
本発明は、例えばステレオ音声放送において緊急情報を送出するための緊急放送システム、および、この緊急放送システムにおける緊急音声信号の取り扱いに適合する方法に関する。
【背景技術】
【０００２】
手動放送及び緊急放送用の操作パネル部分の手動放送のキーを押すことにより手動放送が行われるような放送システムは公知である。この場合、放送制御ユニットを設け、これにより手動放送選択装置を制御して手動放送インタフェース装置に対して手動放送開始の起動信号を操作パネルの手動放送のキーに対応するランプを点灯させ扱い者に放送の開始を促すといった構成を採ることも知られている（特許文献１参照）。
【０００３】
特許文献１に開示の技術では、緊急放送は、放送制御卓のマイクからの放送と、消防署などの外部設備にあるリモートマイクからの放送ができるようにし、消防署などの外部設備からの緊急放送は複数対応可能に構成される。放送制御ユニットは、消防署などの外部設備からの緊急放送の起動要求がなければ、手動放送選択装置を制御して、緊急放送インタフェース装置に対し、緊急放送開始の起動信号を送る。緊急放送インタフェース装置からの開始応答信号を受けると、放送制御ユニットは、操作パネルの緊急放送のキーに対応するランプを点灯させ扱い者に放送の開始を促す。
【０００４】
扱い者は、ランプの点灯を確認し、放送制御卓のマイクから放送を始めることで、音声が手動放送選択装置から出力されることで緊急放送が行える。手動放送選択装置により消防署などの外部設備からの起動要求を監視して、複数台のうち最も起動の早いリモートマイクからの情報が、放送制御ユニットに送られ、緊急放送インタフェース装置からの開始応答信号に基づいて緊急放送が行えるようになるといったシステムである。
【０００５】
また一方、映像装置や音響装置等に組み込まれる音声合成回路で、主たる音声出力と、装置の状態や操作方法を知らせる案内報知用の音声とを加算的に合成して出力するための音声合成回路において、簡易な構成で、スピーカから出力される主たる音声の音量の大小にかかわらず、案内報知用の音声を明瞭かつ適度に聞き取ることができるようにする技術も提案されている（特許文献２参照）。
【０００６】
特許文献２に開示された音声合成回路では、テレビ等の映像装置や、ステレオ等の音響装置に組み込まれて使用されるように構成され、２入力の音声信号を加算的に合成する第１及び第２の合成部を備えている。第１の合成部において、主たる音声信号Ｓ１と案内報知用の音声信号Ｓ２とを加算的に合成して第１の合成音声信号Ｓ３を出力する。
この第１の合成音声信号Ｓ３の音量を音量調整部が調整して調整合成音声信号Ｓ４として出力する。更に、この調整合成音声信号Ｓ４と案内報知用の音声信号Ｓ２と第２の合成部で加算的に合成して、第２の合成音声信号Ｓ５を出力する。
【０００７】
第２の合成音声信号Ｓ５には音量調整部による音量調整の影響を受けなかった案内報知用の音声信号Ｓ２成分が含まれているため、主たる音声の音量が小になればなるほど、案内報知用の音声信号Ｓ２成分の割合が増すので、案内報知用の音声を聞き取り易くなる。また、主たる音声を完全に無音状態にしても案内報知用の音声だけは明瞭かつ適度に聞くことができる。また、音量調整部も１つで済むので、構成が簡易になるとされている。
【特許文献１】特開平６−３３４６１５号公報（段落００１６〜段落００２１、図１）
【特許文献２】特開平９−２３０８９１号公報（段落００１１〜段落００１３、図１）
【発明の開示】
【発明が解決しようとする課題】
【０００８】
上掲の既提案の技術では、緊急放送については常時明瞭に聴き取ることができるような状態が実現されると言える。しかしながら、この状態は、換言すれば、緊急放送に対し通常の放送は無条件で犠牲にされることを意味するものであり、種々の場合を考えたときには必ずしも全面的に望ましいこととは言えない面もある。
即ち、従来は、緊急放送が放送される際、放送中の番組の音声に緊急放送の音声を重ねて送信されている。受信側においては必ず通常放送の音声に緊急放送の音声が合成されて出力されてしまうため、通常放送の音声が聞き取り難くなってしまっている。
【０００９】
一般に、緊急放送を拒否することはできないため、ユーザーによっては重要でない緊急放送によって、聴きたい番組を聴くことが妨げられる事になっている。通常放送による現在の放送と、緊急放送とを同時にしかも違和感なく放送することができれば、現在聴いている番組の中断もなく、スムーズな放送が可能となるはずである。
本発明は、上述したような緊急放送のシステムにおいて従来は忍従せざるをえなかった通常放送は無条件で犠牲にされてしまうといった課題に着目してなされたものであり、通常放送による現在の放送と緊急放送とを同時にしかも違和感なく放送することができ、現在聴いている番組の中断もなく、スムーズな放送が可能となる緊急放送システム、および、この緊急放送システムにおける緊急音声信号の取り扱いに適合する方法を提供することを目的とする。
【課題を解決するための手段】
【００１０】
上記課題を解決するべく、本願では次に列記するような技術を提案する。
（１）Ｌチャンネル用音源からのＬチャンネル音声信号のレベルを調節するＬチャンネル増幅器と、Ｒチャンネル用音源からのＲチャンネル音声信号のレベルを調節するＲチャンネル増幅器と、緊急放送用音源からの緊急音声信号のレベルを調節する緊急放送チャンネル増幅器と、前記Ｌチャンネル用増幅器の出力側に設けられＬチャンネル音声信号に前記緊急放送チャンネル増幅器の出力を混合するためのＬチャンネル混合器と、前記Ｒチャンネル用増幅器の出力側に設けられＲチャンネル音声信号に前記緊急放送チャンネル増幅器の出力を混合するためのＲチャンネル混合器と、前記Ｌチャンネル混合器およびＲチャンネル混合器のいずれか一方または双方に選択的に前記緊急放送チャンネル増幅器の出力を供給する緊急音声混合切換手段と、前記緊急音声混合切換手段の作動を制御する制御手段と、を備えていることを特徴とする緊急放送システム。
【００１１】
上記（１）の緊急放送システムでは、Ｌチャンネル増幅器、Ｒチャンネル増幅器、および、緊急放送チャンネル増幅器によってＬチャンネル用音源からのＬチャンネル音声信号、Ｒチャンネル用音源からのＲチャンネル音声信号、および、緊急放送用音源からの緊急音声信号の三者の信号のウエイトを調節し、Ｌチャンネル混合器およびＲチャンネル混合器によって、該ウエイトが調節された当該Ｌチャンネル音声信号およびＲチャンネル音声信号への当該緊急音声信号の混合の有無を切換える。
【００１２】
（２）前記Ｌチャンネル増幅器、Ｒチャンネル増幅器、および、緊急放送チャンネル増幅器は、供給された音声信号レベル調節信号に応じて増幅率が調節される可変増幅器であり、且つ、前記制御手段は当該各音声信号レベル調節信号を供給するように構成されていることを特徴とする（１）の緊急放送システム。
上記（２）の緊急放送システムでは、（１）の緊急放送システムにおいて特に、Ｌチャンネル増幅器、Ｒチャンネル増幅器、および、緊急放送チャンネル増幅器は、供給された
音声信号レベル調節信号に応じて増幅率が調節される可変増幅器であり、制御手段が発する音声信号レベル調節信号に応じて各増幅器の増幅率が調節される。
【００１３】
（３）緊急音声混合切換手段は、前記緊急放送チャンネル増幅器の出力の前記Ｌチャンネル混合器への供給の有無を切換えるためのＬチャンネル混合切換手段と前記緊急放送チャンネル増幅器の出力の前記Ｒチャンネル混合器への供給の有無を切換えるためのＲチャンネル混合切換手段とを含んで構成され、且つ、前記制御手段は、前記Ｌチャンネル混合切換手段およびＲチャンネル混合切換手段の作動を制御するように構成されていることを特徴とする（１）の緊急放送システム。
【００１４】
上記（３）の緊急放送システムでは、（１）の緊急放送システムにおいて特に、緊急音声混合切換手段中のＬチャンネル混合切換手段とＲチャンネル混合切換手段とが制御手段によって制御されて、緊急放送チャンネル増幅器の出力のＬチャンネル混合器およびＲチャンネル混合器への供給の有無が切換えられる。
【００１５】
（４）前記Ｌチャンネル用音源からＬチャンネル増幅器に供給されるＬチャンネル音声信号を前記Ｒチャンネル用音源からＲチャンネル増幅器に供給されるＲチャンネル音声信号に混合するために前記Ｒチャンネル増幅器の前段に介挿された両チャンネル音声混合器と、前記両チャンネル音声混合器に対する当該Ｌチャンネル音声信号の供給の有無を切換えるための両チャンネル音声混合切換手段とを更に備え、且つ、前記制御手段は前記両チャンネル音声混合切換手段の作動を制御するように構成されていることを特徴とする（１）の緊急放送システム。
【００１６】
上記（４）の緊急放送システムでは、（１）の緊急放送システムにおいて特に、両チャンネル音声混合器が制御手段によって制御されて、Ｌチャンネル用音源からＬチャンネル増幅器に供給されるＬチャンネル音声信号の、Ｒチャンネル用音源からＲチャンネル増幅器に供給されるＲチャンネル音声信号への混合の有無が切換えられる。
【００１７】
（５）前記Ｒチャンネル用音源からＲチャンネル増幅器に供給されるＲチャンネル音声信号を前記Ｌチャンネル用音源からＬチャンネル増幅器に供給されるＬチャンネル音声信号に混合するために前記Ｌチャンネル増幅器の前段に介挿された両チャンネル音声混合器と、前記両チャンネル音声混合器に対する当該Ｒチャンネル音声信号の供給の有無を切換えるための両チャンネル音声混合切換手段とを更に備え、且つ、前記制御手段は前記両チャンネル音声混合切換手段の作動を制御するように構成されていることを特徴とする（１）の緊急放送システム。
【００１８】
上記（５）の緊急放送システムでは、（１）の緊急放送システムにおいて特に、両チャンネル音声混合器が制御手段によって制御されて、Ｒチャンネル用音源からＲチャンネル増幅器に供給されるＲチャンネル音声信号の、Ｌチャンネル用音源からＬチャンネル増幅器に供給されるＬチャンネル音声信号への混合の有無が切換えられる。
【００１９】
（６）Ｌチャンネル用音源からのＬチャンネル音声信号、Ｒチャンネル用音源からのＲチャンネル音声信号、および、緊急放送用音源からの緊急音声信号の三者の信号のウエイトを調節するウエイト調節手段と、前記ウエイト調節手段によってウエイトが調節された当該Ｌチャンネル音声信号およびＲチャンネル音声信号への当該緊急音声信号の混合の有無を切換える緊急音声混合切換手段と、前記緊急音声混合切換手段の作動を制御する制御手段と、を備えていることを特徴とする緊急放送システム。
【００２０】
上記（６）の緊急放送システムでは、ウエイト調節手段によってＬチャンネル用音源からのＬチャンネル音声信号、Ｒチャンネル用音源からのＲチャンネル音声信号、および、
緊急放送用音源からの緊急音声信号の三者の信号のウエイトが調節され、緊急音声混合切換手段と制御手段との共働により、該ウエイトが調節された当該Ｌチャンネル音声信号およびＲチャンネル音声信号への当該緊急音声信号の混合の有無が切換えられる。
【００２１】
（７）前記ウエイト調節手段によってウエイトが調節された当該Ｌチャンネル音声信号のＲチャンネル音声信号への混合の有無を切換える両チャンネル音声混合切換手段を更に備え、且つ、前記制御手段は前記両チャンネル音声混合切換手段の作動を制御するように構成されていることを特徴とする（６）の緊急放送システム。
上記（７）の緊急放送システムでは、（６）の緊急放送システムにおいて特に、両チャンネル音声混合切換手段によって、Ｌチャンネル音声信号の、Ｒチャンネル音声信号への混合の有無が切換えられる。
【００２２】
（８）前記ウエイト調節手段によってウエイトが調節された当該Ｒチャンネル音声信号のＬチャンネル音声信号への混合の有無を切換える両チャンネル音声混合切換手段を更に備え、且つ、前記制御手段は前記両チャンネル音声混合切換手段の作動を制御するように構成されていることを特徴とする（６）の緊急放送システム。
上記（８）の緊急放送システムでは、（６）の緊急放送システムにおいて特に、両チャンネル音声混合切換手段によって、Ｒチャンネル音声信号の、Ｌチャンネル音声信号への混合の有無が切換えられる。
【００２３】
（９）Ｌチャンネル用音源からのＬチャンネル音声信号、Ｒチャンネル用音源からのＲチャンネル音声信号、および、緊急放送用音源からの緊急音声信号の三者の信号のウエイトを調節し、該ウエイトが調節された当該Ｌチャンネル音声信号およびＲチャンネル音声信号への当該緊急音声信号の混合の有無を切換えることを特徴とする緊急放送方法。
上記（９）の緊急放送方法では、Ｌチャンネル音声信号、Ｒチャンネル音声信号、および、緊急音声信号の三者の信号のウエイトが調節された当該Ｌチャンネル音声信号およびＲチャンネル音声信号への当該緊急音声信号の混合の有無が切換えられる。
【発明を実施するための最良の形態】
【００２４】
以下、本発明の実施の形態を図面を参照して説明する。尚、以下に参照する図においては、便宜上、説明の主題となる要部は適宜誇張し、要部以外については適宜簡略化し乃至省略されている。
図１は、本発明の一実施の形態としての緊急放送サポートシステムの構成を表すブロック図である。
【００２５】
図１において、緊急放送システム１００は、Ｌチャンネル用音源（図中、通常放送音声データ（Ｌ）と表記）１０ＬからのＬチャンネル音声信号ＳＬのレベルを調節するＬチャンネル増幅器１１Ｌと、Ｒチャンネル用音源（図中、通常放送音声データ（Ｒ）と表記）１０ＲからのＲチャンネル音声信号ＳＲのレベルを調節するＲチャンネル増幅器１１Ｒと、緊急放送用音源（図中、通常放送音声データ（Ｅ）と表記）１０Ｅからの緊急音声信号ＳＥのレベルを調節する緊急放送チャンネル増幅器１１Ｅと、を含んでＬチャンネル音声信号ＳＬ、Ｒチャンネル音声信号ＳＲ、および、緊急音声信号ＳＥの三者の信号のウエイトを調節するウエイト調節手段１１０が構成されている。
【００２６】
本実施の形態では、Ｌチャンネル増幅器１１Ｌ、Ｒチャンネル増幅器１１Ｒ、および、緊急放送チャンネル増幅器１１Ｅは、何れも可変増幅器であり、制御手段としてのシステムコントローラ１２０から供給される音声信号レベル調節信号に応じて各器の増幅率が調節される。
更に、Ｌチャンネル用増幅器１１Ｌの出力側に設けられＬチャンネル音声信号ＳＬａに緊急放送チャンネル増幅器１１Ｅの出力ＳＥａを混合するためのＬチャンネル混合器１２
Ｌと、Ｒチャンネル用増幅器１１Ｒの出力側に設けられＲチャンネル音声信号ＳＲａに緊急放送チャンネル増幅器１１Ｅの出力ＳＥａを混合するためのＲチャンネル混合器１２Ｒが設けられている。
【００２７】
緊急放送チャンネル増幅器１１Ｅの出力ＳＥａのＬチャンネル混合器１２Ｌへの供給の有無を切換えるためのＬチャンネル混合切換手段としてのスイッチＳＷ１と緊急放送チャンネル増幅器１１Ｅの出力ＳＥａのＲチャンネル混合器１２Ｒへの供給の有無を切換えるためのＲチャンネル混合切換手段としてのスイッチＳＷ３とを含んで緊急音声混合切換手段１３０が構成され、且つ、制御手段としてのシステムコントローラ１２０は、Ｌチャンネル混合切換手段ＳＷ１およびＲチャンネル混合切換手段ＳＷ３の作動を制御するように構成されている。
【００２８】
図示の実施の形態では、Ｌチャンネル用音源１０ＬからＬチャンネル増幅器１１Ｌに供給されるＬチャンネル音声信号ＳＬをＲチャンネル用音源１０ＲからＲチャンネル増幅器１１Ｒに供給されるＲチャンネル音声信号ＳＲに混合するためにＲチャンネル増幅器１１Ｒの前段に介挿された両チャンネル音声混合器１３Ｒと、両チャンネル音声混合器１３Ｒに対する当該Ｌチャンネル音声信号ＳＬの供給の有無を切換えるための両チャンネル音声混合切換手段としてのスイッチＳＷ２とを更に備え、且つ、システムコントローラ１２０は両チャンネル音声混合切換手段ＳＷ２の作動を制御するように構成されている。
【００２９】
図示のものとは、Ｌチャンネルの系統とＲチャンネルの系統を逆転させたような構成をとることも可能である。
この場合は、図示は省略するが、Ｒチャンネル用音源１０ＲからＲチャンネル増幅器１１Ｒに供給されるＲチャンネル音声信号ＳＲをＬチャンネル用音源１０ＬからＬチャンネル増幅器１１Ｌに供給されるＬチャンネル音声信号ＳＬに混合するためにＬチャンネル増幅器１１Ｌの前段に介挿された両チャンネル音声混合器１３Ｌ（不図示）、両チャンネル音声混合器１３Ｌ（不図示）に対する当該Ｒチャンネル音声信号ＳＲの供給の有無を切換えるための両チャンネル音声混合切換手段としてのスイッチＳＷ２ａ（不図示）とを更に備え、且つ、システムコントローラ１２０は両チャンネル音声混合切換手段ＳＷ２ａ（不図示）の作動を制御するように構成される。
【００３０】
Ｌチャンネル混合器１２Ｌの出力ＳＬｂに対応するＬチャンネル放送出力回路１５Ｌと、Ｒチャンネル混合器１２Ｒの出力ＳＲｂに対応するＲチャンネル放送出力回路１５Ｒとを介してステレオ音声放送の信号が送出される。
図２は、各可変増幅器１１Ｅ，１１Ｌ，１１Ｒにおける増幅率の調節と、各スイッチＳＷ１，ＳＷ２，ＳＷ３の開閉状態とに応じて得られるＬチャンネル混合器１２Ｌの出力ＳＬｂおよびＲチャンネル混合器１２Ｒの出力ＳＲｂの状態の対応関係を表す図である。
【００３１】
図２を図１のブロック図と対比して判読されるように、通常時においては、緊急音声の可変増幅器１１Ｅは停止され、各スイッチＳＷ１，ＳＷ２，ＳＷ３は何れもオフにされて、Ｌチャンネル混合器１２Ｌの出力ＳＬｂおよびＲチャンネル混合器１２Ｒの出力ＳＲｂは、共に、Ｌチャンネル増幅器１１ＬおよびＲチャンネル増幅器１１Ｒによって十分大きなレベルに増幅されて鮮明なステレオ音声が放送される。
【００３２】
また、緊急時Ａのケースでは、緊急音声の可変増幅器１１Ｅは大きな増幅率に設定され、Ｌチャンネル増幅器１１Ｌは小さな増幅率に設定され、Ｒチャンネル増幅器１１Ｒは大きな増幅率に設定され、スイッチＳＷ１はオンに、スイッチＳＷ２、スイッチＳＷ３は何れもオフにされて、Ｌチャンネル混合器１２Ｌの出力ＳＬｂは主として緊急放送の音声、Ｒチャンネル混合器１２Ｒの出力ＳＲｂは通常放送の音声となってステレオ音声が放送される。
【００３３】
緊急時Ｂのケースでは、緊急音声の可変増幅器１１Ｅは大きな増幅率に設定され、Ｌチャンネル増幅器１１Ｌも大きな増幅率に設定され、Ｒチャンネル増幅器１１Ｒは小さな増幅率に設定され、スイッチＳＷ１、スイッチＳＷ２は何れもオフに、スイッチＳＷ３はオンにされて、Ｌチャンネル混合器１２Ｌの出力ＳＬｂは通常放送の音声、Ｒチャンネル混合器１２Ｒの出力ＳＲｂは主として緊急放送の音声となってステレオ音声が放送される。
【００３４】
緊急時Ｃのケースでは、緊急音声の可変増幅器１１Ｅは大きな増幅率に設定され、Ｌチャンネル増幅器１１ＬおよびＲチャンネル増幅器１１Ｒは何れも小さな増幅率に設定され、スイッチＳＷ１はオンに、スイッチＳＷ２はオフに、スイッチＳＷ３はオンにされて、Ｌチャンネル混合器１２Ｌの出力ＳＬｂおよびＲチャンネル混合器１２Ｒの出力ＳＲｂは何れも主として緊急放送の音声となってステレオ音声が放送される。
【００３５】
緊急時Ｄのケースでは、緊急音声の可変増幅器１１Ｅは大きな増幅率に設定され、Ｌチャンネル増幅器１１Ｌは小さな増幅率に設定され、Ｒチャンネル増幅器１１Ｒは大きな増幅率に設定され、スイッチＳＷ１およびスイッチＳＷ２は何れもオンに、スイッチＳＷ３はオフにされて、Ｌチャンネル混合器１２Ｌの出力ＳＬｂは主として緊急放送の音声、Ｒチャンネル混合器１２Ｒの出力ＳＲｂはＬチャンネルとＲチャンネルが合成された音声となってステレオ音声が放送される。
システムコントローラ１２０によって、図２のように、ケースに応じて適宜の放送モードが選択され得る。
【００３６】
以上より理解されるとおり、本発明は、Ｌチャンネル用音源からのＬチャンネル音声信号、Ｒチャンネル用音源からのＲチャンネル音声信号、および、緊急放送用音源からの緊急音声信号の三者の信号のウエイトを調節し、該ウエイトが調節された当該Ｌチャンネル音声信号およびＲチャンネル音声信号への当該緊急音声信号の混合の有無を切換えることを特徴とする緊急放送方法でもある。
【００３７】
この緊急放送方法では、Ｌチャンネル音声信号、Ｒチャンネル音声信号、および、緊急音声信号の三者の信号のウエイトが調節された当該Ｌチャンネル音声信号およびＲチャンネル音声信号への当該緊急音声信号の混合の有無が図２を参照して説明したように切換えられる。
【図面の簡単な説明】
【００３８】
【図１】本発明の一実施の形態としての緊急放送システムの構成を表すブロック図である。
【図２】図１の緊急放送システムのケース別の動作を表す図である。
【符号の説明】
【００３９】
１０Ｅ…緊急放送用音源１０Ｌ…Ｌチャンネル用音源  １０Ｒ…Ｒチャンネル用音源    １１Ｅ…緊急放送チャンネル増幅器  １１Ｌ…Ｌチャンネル増幅器  １１Ｒ…Ｒチャンネル増幅器  １２Ｌ…Ｌチャンネル混合器  １２Ｒ…Ｒチャンネル混合器  １３Ｒ…両チャンネル音声混合器  １００…緊急放送システム  １１０…ウエイト調整手段  １２０…システムコントローラ  １３０…緊急音声混合切換手段
【図１】
2007235510.tif 000003
【図２】
2007235510.tif 000004